(57)【要約】      （修正有）【課題】ユーザ機器（ＵＥ）の各々のアンテナのために、閉ループ電力制御技術および開ループ電力制御技術を提供する。【解決手段】アクセス・ポイントは、ユーザ機器の各々のアンテナから受信した信号を測定し、ＵＥの各々のアンテナの電力調節パラメータを計算し、これらパラメータをＵＥへ送信する。ＵＥは、各々のアンテナの送信電力値を決定するために、この調節パラメータを使用する。さらに、ＵＥは、各々のアンテナのパス・ロスを測定し、このパス・ロスおよびその他のパラメータに基づいて、アンテナ毎の送信電力を更新する。【選択図】図４Ａ
2015053693.tif 000002
【特許請求の範囲】
【請求項１】
無線通信のための方法であって、
アンテナのサブセットのための電力調節パラメータを受信することと、
前記アンテナのおのおのに関連付けられた、前記受信された電力調節パラメータを用いて、前記アンテナのサブセットのための送信電力の値を計算することと、
前記計算された送信電力の値に等しい電力を用いて、前記アンテナのサブセットから信号を送信することと
を備える方法。
【請求項２】
おのおののアンテナによって受信された信号におけるパス・ロスの値に基づいて、前記計算された、前記アンテナのサブセットのための送信電力の値を調節することをさらに備える、請求項１に記載の方法。
【請求項３】
少なくとも電力消費量の最適化に基づいて、信号を送信するアンテナのサブセットを決定することをさらに備える、請求項１に記載の方法。
【請求項４】
前記アンテナのサブセットに関する情報を受信することと、
前記アンテナのおのおのに関連付けられた電力調節パラメータと、前記受信された、前記アンテナのサブセットに関する情報とを用いて、前記アンテナのサブセットのための送信電力の値を計算することと、
前記計算された値に基づいて、前記アンテナのサブセットのための送信電力と、信号を送信するアンテナのサブセットとを調節することと
をさらに請求項１に記載の方法。
【請求項５】
ＮＴ個のアンテナのために、おのおののアンテナについて１つの、ＮＴ個の電力調節パラメータが受信される、請求項１に記載の方法。
【請求項６】
前記アンテナのうち１つは、ＮＴ−１個のアンテナに含まれず、前記ＮＴ−１個のアンテナのために、ＮＴ−１個の電力調節パラメータが受信される、請求項１に記載の方法。
【請求項７】
前記アンテナのすべてについて共通の電力調節パラメータと、前記ＮＴ個のアンテナのおのおのについて１つの、ＮＴ個の相対的な電力調節パラメータとが受信され、前記アンテナ毎の送信電力が、前記共通の電力調節パラメータと前記相対的な電力調節パラメータとの両方に基づいて計算される、請求項１に記載の方法。
【請求項８】
前記共通の電力調節パラメータの動的範囲は、前記相対的な電力調節パラメータの動的範囲よりも大きい、請求項７に記載の方法。
【請求項９】
前記共通の電力調節パラメータと前記相対的な電力調節パラメータとの更新のレートは異なる、請求項７に記載の方法。
【請求項１０】
前記共通の電力調節パラメータと前記相対的な電力調節パラメータとのグラニュラリティは異なる、請求項７に記載の方法。
【請求項１１】
無線通信のための方法であって、
送信のために利用されるアンテナのサブセットに関する情報であって、複数の送信アンテナのための個々の電力ヘッドルーム値を含む電力ヘッドルーム情報を送信することを備え、
前記電力ヘッドルーム情報は、おのおののアンテナの現在の送信電力と、最大送信電力との間の差を備える、方法。
【請求項１２】
無線通信のための方法であって、
装置のアンテナのサブセットから受信した信号に関する測定を実行することと、
前記測定に基づいて、前記装置のアンテナのサブセットにおけるおのおののアンテナについて１つである、複数の電力調節パラメータを計算することと、
前記装置の対応するアンテナを較正するために、前記装置のアンテナのサブセットのための電力調節パラメータを送信することと
を備える方法。
【請求項１３】
前記装置によって送信された電力ヘッドルーム情報に少なくとも部分的に基づいて、前記装置によって信号を送信するアンテナのサブセットを決定することと、ここで、前記電力ヘッドルーム情報は、おのおののアンテナの現在の送信電力と、最大送信電力との間の差を備える、
前記アンテナのサブセットに関する情報を前記装置に送信することと
をさらに備える請求項１２に記載の方法。
【請求項１４】
前記複数の電力調節パラメータを計算することは、複数の処理期間内に前記装置のアンテナのすべてをカバーするために、各処理期間において、前記装置のアンテナの別のサブセットのための電力調節値を計算することを備える、請求項１２に記載の方法。
【請求項１５】
前記電力調節パラメータは、ラジオ・リソース制御（ＲＲＣ）シグナリングによって送信される、請求項１２に記載の方法。
【請求項１６】
前記装置のアンテナのサブセットのための、複数の送信電力の値を受信することと、
前記受信した、前記アンテナのための送信電力の値に基づいて、前記装置のアンテナのサブセットのための電力調節パラメータを更新することと
をさらに備える請求項１２に記載の方法。
【請求項１７】
前記複数の電力調節パラメータは、少なくとも、前記装置によって送信された電力ヘッドルーム・レポートに基づいて計算される、請求項１２に記載の方法。
【請求項１８】
前記装置の電力消費量を減らすために、前記装置によって信号を送信するアンテナのサブセットを決定することと、
前記アンテナのサブセットに関する情報を前記装置に送信することと
をさらに備える請求項１２に記載の方法。
【請求項１９】
前記装置から受信した電力ヘッドルーム・レポートに少なくとも部分的に基づいて、前記装置によって信号を送信するアンテナのサブセットを決定することをさらに備える、請求項１８に記載の方法。
【請求項２０】
無線通信のための装置であって、
アンテナのサブセットのための電力調節パラメータを受信するためのロジックと、
前記アンテナのおのおのに関連付けられた、前記受信された電力調節パラメータを用いて、前記アンテナのサブセットのための送信電力の値を計算するためのロジックと、
前記計算された送信電力の値に等しい電力を用いて、前記アンテナのサブセットから信号を送信するためのロジックと
を備える装置。
【請求項２１】
おのおののアンテナによって受信された信号におけるパス・ロスの値に基づいて、前記計算された、前記アンテナのサブセットのための送信電力の値を調節するためのロジックをさらに備える、請求項２０に記載の装置。
【請求項２２】
少なくとも電力消費量の最適化に基づいて、信号を送信するアンテナのサブセットを決定するためのロジックをさらに備える、請求項２０に記載の装置。
【請求項２３】
前記アンテナのサブセットに関する情報を受信するためのロジックと、
前記アンテナのおのおのに関連付けられた電力調節パラメータと、前記受信された、前記アンテナのサブセットに関する情報とを用いて、前記アンテナのサブセットのための送信電力の値を計算するためのロジックと、
前記計算された値に基づいて、前記アンテナのサブセットのための送信電力と、信号を送信するアンテナのサブセットとを調節するためのロジックと
を備える請求項２０に記載の装置。
【請求項２４】
ＮＴ個のアンテナのために、おのおののアンテナについて１つの、ＮＴ個の電力調節パラメータが受信される、請求項２０に記載の装置。
【請求項２５】
前記アンテナのうち１つは、ＮＴ−１個のアンテナに含まれず、前記ＮＴ−１個のアンテナのために、ＮＴ−１個の電力調節パラメータが受信される、請求項２０に記載の装置。
【請求項２６】
前記アンテナのすべてについて共通の電力調節パラメータと、前記ＮＴ個のアンテナのおのおのについて１つの、ＮＴ個の相対的な電力調節パラメータとが受信され、前記アンテナ毎の送信電力が、前記共通の電力調節パラメータと前記相対的な電力調節パラメータとの両方に基づいて計算される、請求項２０に記載の装置。
【請求項２７】
前記共通の電力調節パラメータの動的範囲は、前記相対的な電力調節パラメータの動的範囲よりも大きい、請求項２６に記載の装置。
【請求項２８】
前記共通の電力調節パラメータと前記相対的な電力調節パラメータとの更新のレートは異なる、請求項２６に記載の装置。
【請求項２９】
前記共通の電力調節パラメータと前記相対的な電力調節パラメータとのグラニュラリティは異なる、請求項２６に記載の装置。
【請求項３０】
無線通信のための装置であって、
送信のために利用されるアンテナのサブセットに関する情報であって、複数の送信アンテナのための個々の電力ヘッドルーム値を含む電力ヘッドルーム情報を送信するためのロジックを備え、
前記電力ヘッドルーム情報は、おのおののアンテナの現在の送信電力と、最大送信電力との間の差を備える、装置。
【請求項３１】
無線通信のための装置であって、
装置のアンテナのサブセットから受信した信号に関する測定を実行するためのロジックと、
前記測定に基づいて、前記装置のアンテナのサブセットにおけるおのおののアンテナについて１つである、複数の電力調節パラメータを計算するためのロジックと、
前記装置の対応するアンテナを較正するために、前記装置のアンテナのサブセットのための電力調節パラメータを送信するためのロジックと
を備える装置。
【請求項３２】
前記装置によって送信された電力ヘッドルーム情報に少なくとも部分的に基づいて、前記装置によって信号を送信するアンテナのサブセットを決定するためのロジックと、ここで、前記電力ヘッドルーム情報は、おのおののアンテナの現在の送信電力と、最大送信電力との間の差を備える、
前記アンテナのサブセットに関する情報を前記装置に送信するためのロジックと
をさらに備える、請求項３１に記載の装置。
【請求項３３】
前記複数の電力調節パラメータを計算することは、複数の処理期間内に前記装置のアンテナのすべてをカバーするために、各処理期間において、前記装置のアンテナの別のサブセットのための電力調節値を計算することを備える、請求項３１に記載の装置。
【請求項３４】
前記電力調節パラメータは、ラジオ・リソース制御（ＲＲＣ）シグナリングによって送信される、請求項３１に記載の装置。
【請求項３５】
前記装置のアンテナのサブセットのための、複数の送信電力の値を受信するためのロジックと、
前記受信した、前記アンテナのための送信電力の値に基づいて、前記装置のアンテナのサブセットのための電力調節パラメータを更新するためのロジックと
をさらに備える、請求項３１に記載の装置。
【請求項３６】
前記複数の電力調節パラメータは、前記装置によって送信された電力ヘッドルーム・レポートに少なくも基づいて計算される、請求項３１に記載の装置。
【請求項３７】
前記装置の電力消費量を減らすために、前記装置によって信号を送信するアンテナのサブセットを決定するためのロジックと、
前記アンテナのサブセットに関する情報を前記装置に送信するためのロジックと
をさらに備える、請求項３１に記載の装置。
【請求項３８】
前記装置から受信した電力ヘッドルーム・レポートに少なくとも部分的に基づいて、前記装置によって信号を送信するアンテナのサブセットを決定するためのロジックをさらに備える、請求項３７に記載の装置。
【請求項３９】
無線通信のための装置であって、
アンテナのサブセットのための電力調節パラメータを受信する手段と、
前記アンテナのおのおのに関連付けられた、前記受信された電力調節パラメータを用いて、前記アンテナのサブセットのための送信電力の値を計算する手段と、
前記計算された送信電力の値に等しい電力を用いて、前記アンテナのサブセットから信号を送信する手段と
を備える装置。
【請求項４０】
無線通信のための装置であって、
送信のために利用されるアンテナのサブセットに関する情報であって、複数の送信アンテナのための個々の電力ヘッドルーム値を含む電力ヘッドルーム情報を送信する手段を備え、
前記電力ヘッドルーム情報は、おのおののアンテナの現在の送信電力と、最大送信電力との間の差を備える、装置。
【請求項４１】
無線通信のための装置であって、
装置のアンテナのサブセットから受信した信号に関する測定を実行する手段と、
前記測定に基づいて、前記装置のアンテナのサブセットにおけるおのおののアンテナについて１つである、複数の電力調節パラメータを計算する手段と、
前記装置の対応するアンテナを較正するために、前記装置のアンテナのサブセットのための電力調節パラメータを送信する手段と
を備える装置。
【請求項４２】
１または複数のプロセッサによって実行可能な、格納された命令群を有するコンピュータ読取可能媒体を備える、無線通信のためのコンピュータ・プログラム製品であって、前記命令群は、
アンテナのサブセットのための電力調節パラメータを受信するための命令群と、
前記アンテナのおのおのに関連付けられた、前記受信された電力調節パラメータを用いて、前記アンテナのサブセットのための送信電力の値を計算するための命令群と、
前記計算された送信電力の値に等しい電力を用いて、前記アンテナのサブセットから信号を送信するための命令群と
を備える、コンピュータ・プログラム製品。
【請求項４３】
１または複数のプロセッサによって実行可能な、格納された命令群を有するコンピュータ読取可能媒体を備える、無線通信のためのコンピュータ・プログラム製品であって、前記命令群は、
送信のために利用されるアンテナのサブセットに関する情報であって、複数の送信アンテナのための個々の電力ヘッドルーム値を含む電力ヘッドルーム情報を送信するための命令群を備え、
前記電力ヘッドルーム情報は、おのおののアンテナの現在の送信電力と、最大送信電力との間の差を備える、コンピュータ・プログラム製品。
【請求項４４】
１または複数のプロセッサによって実行可能な、格納された命令群を有するコンピュータ読取可能媒体を備える、無線通信のためのコンピュータ・プログラム製品であって、前記命令群は、
装置のアンテナのサブセットから受信した信号に関する測定を実行するための命令群と、
前記測定に基づいて、前記装置のアンテナのサブセットにおけるおのおののアンテナについて１つである、複数の電力調節パラメータを計算するための命令群と、
前記装置の対応するアンテナを較正するために、前記装置のアンテナのサブセットのための電力調節パラメータを送信するための命令群と
を備える、コンピュータ・プログラム製品。
【請求項４５】
無線通信のための装置であって、
アンテナのサブセットのための電力調節パラメータを受信し、
前記アンテナのおのおのに関連付けられた、前記受信された電力調節パラメータを用いて、前記アンテナのサブセットのための送信電力の値を計算し、
前記計算された送信電力の値に等しい電力を用いて、アンテナのサブセットから信号を送信する
ように構成された少なくとも１つのプロセッサを備える、装置。
【請求項４６】
無線通信のための装置であって、
送信のために利用されるアンテナのサブセットに関する情報であって、複数の送信アンテナのための個々の電力ヘッドルーム値を含む電力ヘッドルーム情報を送信するように構成された少なくとも１つのプロセッサを備え、
前記電力ヘッドルーム情報は、おのおののアンテナの現在の送信電力と、最大送信電力との間の差を備える、装置。
【請求項４７】
無線通信のための装置であって、
装置のアンテナのサブセットから受信した信号に関する測定を実行し、
前記測定に基づいて、前記装置のアンテナのサブセットにおけるおのおののアンテナについて１つである、複数の電力調節パラメータを計算し、
前記装置の対応するアンテナを較正するために、前記装置のアンテナのサブセットのための電力調節パラメータを送信する
ように構成された少なくとも１つのプロセッサを備える、装置。
【発明の詳細な説明】
【優先権主張】
【０００１】
本願は、本願の譲受人に譲渡され、本明細書において参照によって明確に組み込まれている２００９年５月４日出願の仮特許出願６１／１７５，４０７号の利益を主張する。
【技術分野】
【０００２】
以下は、一般に無線通信に関し、さらに詳しくは、マルチ・アンテナ無線デバイスのためのアンテナ特有のアップリンク電力制御を確立することに関する。
【背景技術】
【０００３】
無線通信システムは、例えば音声およびデータのようなさまざまなタイプの通信コンテンツを提供するために広く開発された。これらのシステムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および直交周波数分割多元接続（ＯＦＤＭＡ）システム等を含む。
【０００４】
通常、無線多元接続通信システムは、複数の無線端末のための通信を同時にサポートすることができる。端末はおのおのの、順方向リンクおよび逆方向リンクによる送信を介して１または複数の基地局と通信することができる。順方向リンク（すなわちダウンリンク）は、基地局から端末への通信リンクを称し、逆方向リンク（すなわちアップリンク）は、端末から基地局への通信リンクを称する。これら通信リンクは、単一入力単一出力、複数入力単一出力、複数入力複数出力（ＭＩＭＯ）システムによって確立されうる。
【０００５】
無線規格は、アップリンク送信のためおのおののユーザ機器（ＵＥ）によって利用される送信電力を制御および制限する電力制御技術を含みうる。例えば、ＬＴＥ規格において定義された電力制御技術は、ＵＥのすべてのアンテナのために使用されうるおのおののユーザ機器のための単一の共通電力値を生成する。しかしながら、ＵＥの別のアンテナは、別の時点において、別のフェージング環境を経験しうる。
【発明の概要】
【０００６】
本開示のある態様は、無線通信のための方法を提供する。この方法は一般に、アンテナのサブセットのための電力調節パラメータを受信することと、アンテナのおのおのに関連付けられた、受信された電力調節パラメータを用いて、アンテナのサブセットのための送信電力の値を計算することと、計算された送信電力の値に等しい電力を用いて、アンテナのサブセットから信号を送信することとを含む。
【０００７】
本開示のある態様は、無線通信のための方法を提供する。この方法は一般に、送信のために利用されるアンテナのサブセットに関する情報であって、複数の送信アンテナのための個々の電力ヘッドルーム値を含む電力ヘッドルーム情報を送信することを含み、ここで、電力ヘッドルーム情報は、おのおののアンテナの現在の送信電力と、最大送信電力との間の差を備える。
【０００８】
本開示のある態様は、無線通信のための方法を提供する。この方法は一般に、装置のアンテナのサブセットから受信した信号に関する測定を実行することと、この測定に基づいて、装置のアンテナのサブセットにおけるおのおののアンテナについて１つである、複数の電力調節パラメータを計算することと、装置の対応するアンテナを較正するために、装置のアンテナのサブセットのための電力調節パラメータを送信することとを含む。
【０００９】
本開示のある態様は、無線通信のための装置を提供する。この装置は一般に、アンテナのサブセットのための電力調節パラメータを受信するためのロジックと、アンテナのおのおのに関連付けられた、受信された電力調節パラメータを用いて、アンテナのサブセットのための送信電力の値を計算するためのロジックと、計算された送信電力の値に等しい電力を用いて、アンテナのサブセットから信号を送信するためのロジックとを含む。
【００１０】
本開示のある態様は、無線通信のための装置を提供する。この装置は一般に、送信のために利用されるアンテナのサブセットに関する情報であって、複数の送信アンテナのための個々の電力ヘッドルーム値を含む電力ヘッドルーム情報を送信するためのロジックを含み、ここで、電力ヘッドルーム情報は、おのおののアンテナの現在の送信電力と、最大送信電力との間の差を備える。
【００１１】
本開示のある態様は、無線通信のための装置を提供する。この装置は一般に、装置のアンテナのサブセットから受信した信号に関する測定を実行するためのロジックと、この測定に基づいて、装置のアンテナのサブセットにおけるおのおののアンテナについて１つである、複数の電力調節パラメータを計算するためのロジックと、装置の対応するアンテナを較正するために、装置のアンテナのサブセットのための電力調節パラメータを送信するためのロジックとを含む。
【００１２】
本開示のある態様は、無線通信のための装置を提供する。この装置は一般に、アンテナのサブセットのための電力調節パラメータを受信する手段と、アンテナのおのおのに関連付けられた、受信された電力調節パラメータを用いて、アンテナのサブセットのための送信電力の値を計算する手段と、計算された送信電力の値に等しい電力を用いて、アンテナのサブセットから信号を送信する手段とを含む。
【００１３】
本開示のある態様は、無線通信のための装置を提供する。この装置は一般に、送信のために利用されるアンテナのサブセットに関する情報であって、複数の送信アンテナのための個々の電力ヘッドルーム値を含む電力ヘッドルーム情報を送信する手段を含み、ここで、電力ヘッドルーム情報は、おのおののアンテナの現在の送信電力と、最大送信電力との間の差を備える。
【００１４】
本開示のある態様は、無線通信のための装置を提供する。この装置は一般に、装置のアンテナのサブセットから受信した信号に関する測定を実行する手段と、この測定に基づいて、装置のアンテナのサブセットにおけるおのおののアンテナについて１つである、複数の電力調節パラメータを計算する手段と、装置の対応するアンテナを較正するために、装置のアンテナのサブセットのための電力調節パラメータを送信する手段とを含む。
【００１５】
ある態様は、１または複数のプロセッサによって実行可能な、格納された命令群を有するコンピュータ読取可能媒体を備える、無線通信のためのコンピュータ・プログラム製品を提供する。これら命令群は一般に、アンテナのサブセットのための電力調節パラメータを受信するための命令群と、アンテナのおのおのに関連付けられた、受信された電力調節パラメータを用いて、アンテナのサブセットのための送信電力の値を計算するための命令群と、計算された送信電力の値に等しい電力を用いて、アンテナのサブセットから信号を送信するための命令群とを含む。
【００１６】
ある態様は、１または複数のプロセッサによって実行可能な、格納された命令群を有するコンピュータ読取可能媒体を備える、無線通信のためのコンピュータ・プログラム製品を提供する。これら命令群は一般に、送信のために利用されるアンテナのサブセットに関する情報であって、複数の送信アンテナのための個々の電力ヘッドルーム値を含む電力ヘッドルーム情報を送信するための命令群を含み、ここで、電力ヘッドルーム情報は、おのおののアンテナの現在の送信電力と、最大送信電力との間の差を備える。
【００１７】
ある態様は、１または複数のプロセッサによって実行可能な、格納された命令群を有するコンピュータ読取可能媒体を備える、無線通信のためのコンピュータ・プログラム製品を提供する。これら命令群は一般に、装置のアンテナのサブセットから受信した信号に関する測定を実行するための命令群と、この測定に基づいて、装置のアンテナのサブセットにおけるおのおののアンテナについて１つである、複数の電力調節パラメータを計算するための命令群と、装置の対応するアンテナを較正するために、装置のアンテナのサブセットのための電力調節パラメータを送信するための命令群とを含む。
【００１８】
本開示のある態様は、無線通信のための装置を提供する。この装置は一般に、アンテナのサブセットのための電力調節パラメータを受信し、アンテナのおのおのに関連付けられた、受信された電力調節パラメータを用いて、アンテナのサブセットのための送信電力の値を計算し、計算された送信電力の値に等しい電力を用いて、アンテナのサブセットから信号を送信するように構成された少なくとも１つのプロセッサを含む。
【００１９】
本開示のある態様は、無線通信のための装置を提供する。この装置は一般に、送信のために利用されるアンテナのサブセットに関する情報であって、複数の送信アンテナのための個々の電力ヘッドルーム値を含む電力ヘッドルーム情報を送信するように構成された少なくとも１つのプロセッサを含み、ここで、電力ヘッドルーム情報は、おのおののアンテナの現在の送信電力と、最大送信電力との間の差を備える。
【００２０】
本開示のある態様は、無線通信のための装置を提供する。この装置は一般に、装置のアンテナのサブセットから受信した信号に関する測定を実行し、この測定に基づいて、装置のアンテナのサブセットにおけるおのおののアンテナについて１つである、複数の電力調節パラメータを計算し、装置の対応するアンテナを較正するために、装置のアンテナのサブセットのための電力調節パラメータを送信するように構成された少なくとも１つのプロセッサを含む。
【図面の簡単な説明】
【００２１】
本開示の上述した特徴が、より詳細に理解される方式で、簡潔に要約された具体的な記載が、態様に対する参照によってなされている。そして、それらの幾つかは、添付図面で例示されている。しかしながら、この記載は、その他の等しく有効な態様に対しても当てはまるので、添付図面は、本開示のある典型的な態様のみを示しており、この範囲を限定するものとして考慮されないことが注目されるべきである。
【図１】図１は、本開示のある態様にしたがう多元接続無線通信システムの例のブロック図を例示する。
【図２】図２は、本開示のある態様にしたがう無線通信システムの例のブロック図を例示する。
【図３】図３は、本開示のある態様にしたがって、ユーザ機器のアンテナ当たりのアップリンク電力制御メカニズムのための動作の例を図示する。
【図３Ａ】図３Ａは、図３で例示された動作を実行することが可能な構成要素の例を例示する。
【図４Ａ】図４Ａは、本開示のある態様にしたがう、電力制御されたユーザによるアップリンク送信の例を例示する。
【図４Ｂ】図４Ｂは、本開示のある態様にしたがう、電力制御されたユーザによるアップリンク送信の例を例示する。
【発明を実施するための形態】
【００２２】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のような様々な無線通信ネットワークのために使用される。「システム」、「ネットワーク」という用語は、しばしば置換可能に使用される。ＣＤＭＡネットワークは、例えば、ユニバーサル地上ラジオ・アクセス（ＵＴＲＡ）、ＣＤＭＡ２０００等のようなラジオ技術を実現しうる。
【００２３】
ＵＴＲＡは、広帯域ＣＤＭＡ（Ｗ−ＣＤＭＡ）および低チップ・レート（ＬＣＲ）を含んでいる。ＣＤＭＡ２０００は、ＩＳ−２０００規格、ＩＳ−９５規格、およびＩＳ−８５６規格をカバーする。ＴＤＭＡネットワークは、例えばグローバル・システム・フォー・モバイル通信（ＧＳＭ（登録商標））のようなラジオ技術を実現しうる。ＯＦＤＭＡネットワークは、例えばイボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭＯ等のようなラジオ技術を実現しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ＣＤＭＡ２０００は、「第３世代パートナシップ計画２」（３ＧＰＰ２）と命名された組織からの文書に記載されている。これらさまざまなラジオ技術および規格は、当該技術分野において知られている。明確にするために、これら技術のある態様は、以下において、ＬＴＥについて記載されており、ＬＴＥ用語が以下の説明の多くで使用される。
【００２４】
シングル・キャリア周波数分割多元接続（ＳＣ−ＦＤＭＡ）は、単一のキャリア変調および周波数領域等値化を利用する技術である。ＳＣ−ＦＤＭＡは、ＯＦＤＭＡシステムと同じ性能、および実質的に同じ全体的な複雑さを有する。ＳＣ−ＦＤＭＡ信号は、固有の単一キャリア構造により、低いピーク対平均電力比（ＰＡＰＲ）を有する。ＳＣ−ＦＤＭＡは、送信電力効率の観点において、低ＰＡＰＲがモバイル端末に大いに有益となるアップリンク通信において、特に大きな注目を集めた。ＳＣ−ＦＤＭＡを用いることは、現在、３ＧＰＰロング・ターム・イボリューション（ＬＴＥ）またはイボルブドＵＴＲＡにおけるアップリンク多元接続スキームのために動作していると仮定されている。
【００２５】
ＭＩＭＯシステムは、データ送信のために、複数（ＮＴ個）の送信アンテナと、複数（ＮＲ個）の受信アンテナとを使用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。
【００２６】
ＭＩＭＯシステムは、時分割デュプレクス（ＴＤＤ）システムおよび周波数分割デュプレクス（ＦＤＤ）システムをサポートする。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントにおいて複数のアンテナが利用可能である場合、アクセス・ポイントは、順方向リンクで送信ビーム・フォーミング・ゲインを抽出できるようになる。
【００２７】
図１に示すように、本開示のある態様にしたがう多元接続無線通信システムが例示される。アクセス・ポイント１００（ＡＰ）は、１つは１０４、１０６を含み、他のものは１０８、１１０を含み、さらに他のものは１１２、１１４を含む複数のアンテナ・グループを含んでいる。図１では、おのおののアンテナ・グループについて２本のアンテナしか示されていない。しかしながら、おのおののアンテナ・グループについて、それより多くのまたはそれより少ないアンテナが利用されうる。アクセス端末１１６（ＡＴ）（例えば、ユーザ機器すなわちＵＥ）は、アンテナ１１２およびアンテナ１１４と通信しており、アンテナ１１２、１１４は、順方向リンク１２０でアクセス端末１１６へ情報を送信し、逆方向リンク１１８でアクセス端末１１６から情報を受信する。アクセス端末１２２は、アンテナ１０６、１０８と通信しており、アンテナ１０６、１０８は、順方向リンク１２６でアクセス端末１２２へ情報を送信し、逆方向リンク１２４でアクセス端末１２２から情報を受信する。ＦＤＤシステムでは、通信リンク１１８、１２０、１２４、１２６は、通信のために異なる周波数を使用する。例えば、順方向リンク１２０は、逆方向リンク１１８によって使用されるものとは異なる周波数を使用することができる。
【００２８】
通信するように設計された領域および／またはアンテナのおのおののグループは、しばしば、アクセス・ポイントのセクタと称される。一つの態様では、おのおののアンテナ・グループは、アクセス・ポイント１００によってカバーされる領域のセクタ内のアクセス端末と通信するように設計される。
【００２９】
順方向リンク１２０、１２６による通信では、アクセス・ポイント１００の送信アンテナは、別のアクセス端末１１６、１２４の順方向リンクの信号対雑音比を改善するために、ビームフォーミングを利用する。さらに、有効範囲領域にわたってランダムに散在するアクセス端末へ送信するためにビームフォーミングを用いるアクセス・ポイントは、全てのアクセス端末へ単一のアンテナによって送信するアクセス・ポイントよりも、近隣のセル内のアクセス端末に対して少ない干渉しかもたらさない。
【００３０】
アクセス・ポイントは、端末と通信するために使用された固定局であり、基地局、ノードＢ、あるいはその他のいくつかの用語で称されうる。アクセス端末はまた、移動局、ユーザ機器（ＵＥ）、無線通信デバイス、端末、アクセス端末、あるいはその他のいくつかの用語で呼ばれる。
【００３１】
図２は、ＭＩＭＯシステム２００における送信機システム２１０（アクセス・ポイントとしても知られている）および受信機システム２５０（アクセス端末としても知られている）の態様のブロック図である。送信機システム２１０では、多くのデータ・ストリーム用のトラフィック・データが、データ・ソース２１２から送信（ＴＸ）データ・プロセッサ２１４に提供される。
【００３２】
態様では、データ・ストリームはおのおのの、それぞれの送信アンテナを介して送信される。ＴＸデータ・プロセッサ２１４は、おのおののデータ・ストリームのトラフィック・データをフォーマットし、このデータ・ストリームのために選択された特定の符号化スキームに基づいて符号化し、インタリーブして、符号化されたデータを提供する。
【００３３】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。各データ・ストリームの多重化されたパイロットおよび符号化されたデータは、その後、変調シンボルを提供するためにデータ・ストリームについて選択された特定の変調スキーム（例えば、バイナリ・フェーズ・シフト・キーイング（ＢＰＳＫ）、直交フェーズ・シフト・キーイング（ＱＰＳＫ）、Ｍ−ＰＳＫ、または直交振幅変調（Ｍ−ＱＡＭ））に基づいて変調（すなわち、シンボル・マップ）される。おのおののデータ・ストリームのデータ・レート、符号化、および変調は、プロセッサ２３０によって実行される命令群によって決定されうる。
【００３４】
すべてのデータ・ストリームの変調シンボルは、（例えば、ＯＦＤＭのために）変調シンボルをさらに処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある態様では、ＴＸ  ＭＩＭＯプロセッサ２２０は、データ・ストリームのシンボル、および、そのシンボルが送信されるアンテナへ、ビームフォーミング重みを適用する。
【００３５】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、その後、ＮＴ個のアンテナ２２４ａ乃至２２４ｔからそれぞれ送信される。
【００３６】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、受信したそれぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００３７】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、その後、検出されたおのおののシンボル・ストリームを復調し、デインタリーブし、復号して、そのデータ・ストリームのためのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものと相補的である。
【００３８】
プロセッサ２７０は、上述したように、利用可能などの技術を利用するのかを定期的に決定する。さらに、プロセッサ２７０は、行列インデクス部およびランク値部を備えた逆方向リンク・メッセージを規定することができる。
【００３９】
逆方向リンク・メッセージは、通信リンクおよび／または受信されたデータ・ストリームに関するさまざまなタイプの情報を備えうる。逆方向リンク・メッセージは、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００４０】
送信機システム２１０では、受信機システム２５０からの変調信号が、アンテナ２２４によって受信され、受信機２２２によって調整され、復調器２４０によって復調され、ＲＸデータ・プロセッサ２４２によって処理されて、受信機システム２５０によって送信された逆方向リンク・メッセージを抽出する。プロセッサ２３０は、事前符号化行列を用いて、抽出されたメッセージに対してビームフォーミングを実行する。
【００４１】
（無線通信のためのアップリンク電力制御の例）  
無線システムでは、おのおののユーザ機器（ＵＥ）によって利用されるアップリンク送信電力を制御および制限するために、アップリンク電力制御技術が使用される。おのおののユーザのための送信電力または最大送信電力は、例えば、最大許容電力、送信チャネルの帯域幅、ダウンリンク・パス・ロス、およびその他のパラメータのような複数のパラメータに基づいて決定されうる。
【００４２】
ＬＴＥ規格において定義された電力制御技術は、ＵＥのすべてのアンテナのために使用されうるおのおののＵＥのための単一の電力値を生成する。しかしながら、ＵＥのアンテナは、前もって較正されないさまざまな条件によってアンバランスとなりうる。例えば、そのアンテナの送信を阻む障害物が、アンテナのうちの１つの前に存在しうる。あるいは、別のアンテナは、それぞれの通信チャンネルにおいて、別のフェージング環境を経験しうる。したがって、システムのパフォーマンスは、ＵＥのアンテナ毎に電力制御を実行する技術によって改善されうる。
【００４３】
図３は、本開示のある態様にしたがって、ＵＥのアンテナの少なくともサブセットのための電力制御を制御するためのアップリンク電力制御メカニズムのための動作の例を図示する。３０２では、アクセス・ポイントが、ＵＥのアンテナのサブセットから受信した信号に関する測定を実行する。３０４では、アクセス・ポイントが、この測定に基づいて、ＵＥのアンテナのサブセットのための調節パラメータを計算する。３０６では、アクセス・ポイントが、これらアンテナを較正するために、ＲＲＣシグナリングまたはその他の手段によって、ＵＥのアンテナのサブセットのための調節パラメータを送信する。
【００４４】
３０８では、ＵＥが、アクセス・ポイントから、このアンテナのうちの少なくとも１つのための調節パラメータを受信する。３１０では、ＵＥが、受信した調節パラメータに基づいて、および、オプションとして、アンテナのダウンリンク・パス・ロス値に基づいて、ＵＥのアンテナ毎のアップリンク送信電力を計算する。３１２では、ＵＥが、そのアンテナのための計算された送信電力に等しい電力を用いて、ＵＥのおのおののアンテナで信号を送信する。
【００４５】
上記の動作は、ＡＰおよびＵＥの観点から記載されているが、これらの動作は、ＡＰおよびＵＥに限定されないことが注目されるべきである。当業者であれば、任意の２つの通信デバイスが、現在の開示の範囲から逸脱することなく、提案された電力制御方法を利用しうることを認識するであろう。
【００４６】
図４Ａおよび図４Ｂは、アクセス・ポイントとＵＥがＵＥのアンテナのサブセットのために提案された電力制御技術を適用する限定しない例を例示する。アクセス・ポイント４０２は、ＵＥ  ４０６のすべてのアンテナのための電力調節値を計算し、これらをテーブル内に格納し、電力調節値をＵＥに送信する。ＵＥは、第１のアンテナ４０８、第２のアンテナ４１０、および第ＮＴのアンテナ４１２アンテナのための送信電力を計算し、対応する電力を用いて、アンテナからＡＰへ信号を送信する。
【００４７】
図４Ａに例示するように、第１のアンテナ４０８から、このアンテナとアクセス・ポイントとの間のチャネルの品質に依存して、低電力で信号が送信される。同時に、ＵＥは、第２のアンテナから、高電力で別の信号を送信しうる。おのおののアンテナの調節パラメータδ１（以下に詳述する）の値に基づいて、ＵＥは、そのアンテナのための送信電力を調節する。
【００４８】
図４Ｂは、ＵＥのアンテナのうちの１つ（すなわち、第１のアンテナ）と、アクセス・ポイントとの間の通信チャネルが良好であり、他のアンテナ（すなわち、第２のアンテナ）によって見られるチャネルが非常に劣悪である例を例示する。この例では、第２のアンテナは、障害物によってブロックされているかもしれない。ＵＥは、第１のアンテナおよび第２のアンテナの両方によって送信されるべきであると第１のアンテナに推測されている情報を伝送するために、第２のアンテナからどの信号も送信せず、代わりに、第１のアンテナから高電力で信号を送信すると決定しうる。
【００４９】
（アップリンク送信電力調節の例）  
さまざまなアルゴリズムが、図３および図４を参照して上述した電力調節を実行するために利用されうる。例えば、ＬＴＥ規格のリリース８では、特定のサブフレーム（すなわち、サブフレームｉ）のために、物理アップリンク共有チャネル（ＰＵＳＣＨ）における送信のためのユーザ機器のアップリンク送信電力が、以下の式に基づいて計算される。  
【００５０】
【数１】
2015053693.tif 000003
ここで、Ｐｍａｘは、ＵＥからの送信のための最大許容電力を表し、ＭＰＵＳＣＨは、サブフレームｉについて有効なリソース・ブロック数によって表されるＰＵＳＣＨリソース割当の帯域幅を表す。Ｐ０＿ＰＵＳＣＨ（ｊ）は、おのおのの通信セルにおけるノミナル電力を表すＰ０＿ＮＯＭＩＮＡＬ＿ＰＵＳＣＨ（ｊ）と、ＵＥ特有のパラメータであるＰ０＿ＵＥ＿ＰＵＳＣＨ（ｊ）と、を含む２つのパラメータの合計を備えるパラメータである。ここで、ｊは、チャネル割当タイプを表し、ｊ＝０または１である。
【００５１】
式（１）におけるパラメータαは、ｊ＝０または１である場合、値α（ｊ）∈｛０,０．４,０．５，０．６，０．７，０．８，０．９，１｝のうちの１つを採用しうるおのおのの通信セルに特有の３ビット値である。ＰＬは、ｄＢ単位でＵＥによって計算されたダウンリンク・パス・ロスの推定値である。ダウンリンク・パス・ロス推定値ＰＬは、以下の式によって計算されうる。  
ＰＬ＝Ｐｒｓ−Ｐｆｒｓ 
ここで、Ｐｒｓは、基本信号の送信電力を表し、Ｐｆｒｓは、基準信号の受信電力を表わす。  
【００５２】
【数２】
2015053693.tif 000004
ここで、ＫＳは、補正係数であり、Ｍ＝ＳＴＢ／ＮＲＥであり、ここで、ＳＴＢは、伝送ブロック・サイズであり、ＮＲＥは、リソース要素の数である。さらに、関数ｆ（ｉ）は、ＰＵＳＣＨチャネルのための電力制御調節値の現在の状態を提供する。例えば、Ｐｍａｘ、Ｐ０＿ＰＵＳＣＨ、Ｐｒｓのような式（１）におけるパラメータのうちのいくつかの値は、高次通信レイヤによってＵＥへ提供されることが注目されるべきである。
【００５３】
本開示のある態様は、ＵＥのアンテナ毎に送信電力を制御するための技術を提供する。提案された閉ループ電力制御技術では、アクセス・ポイントが、ＵＥの複数のアンテナから複数の信号を受信し、受信した信号に対して測定を実行する。例えば、アクセス・ポイントは、ＵＥのアンテナ毎にサウンディング基準信号（ＳＲＳ）を測定しうる。あるいは、送信ダイバーシティを備えたＭＩＭＯシステムでは、アクセス・ポイントは、例えば復調基準信号（ＤＭＲＳ）またはその他の信号のように、物理アップリンク制御チャネル（ＰＵＣＣＨ）または物理アップリンク共有チャネル（ＰＵＳＣＨ）のいずれかで受信した信号に対して測定を実行しうる。
【００５４】
アクセス・ポイントは、受信した信号に対してなされた測定に基づいて、ＵＥのおのおののアンテナ（すなわち、アンテナｌ、ｌ＝１，・・・，ＮＴ）のための調節パラメータδ１を定義しうる（図３のブロック３０４参照）。調節パラメータの範囲は小さいので、調節パラメータのおのおのは、小さなビット数によって表される。
【００５５】
ある態様の場合、ＮＴ個のアンテナを備えたＵＥの場合、アクセス・ポイントは、（ＵＥのアンテナのうちの１と比較された）アンテナの相対的な電力調節のために、ＮＴ−１個の調節パラメータを定義しうる。別の態様では、アクセス・ポイントは、すべてのアンテナのための共通電力制御パラメータと、おのおののアンテナのためのＮＴ個の相対的調節パラメータとを定義しうる。その後、共通電力制御パラメータと、アンテナ毎の調節パラメータとの合計が、おのおののアンテナの電力制御パラメータとなりうる。また別の態様の場合、アクセス・ポイントは、ＵＥのおのおののアンテナについて１つである、ＮＴ個の調節パラメータを送信しうる。
【００５６】
複数の調節パラメータδｌ、ｌ＝１，・・・ＮＴが、ラジオ・リソース制御（ＲＲＣ）シグナリングまたはその他の手段によって、準静的にＵＥへ送信されうる（図３のブロック３０６参照）。ある態様の場合、電力調節パラメータの更新のレートは、システムのパラメータに依存して早められるか、遅らされうる。
【００５７】
ＵＥは、例えば、ＰＵＳＣＨ、ＰＵＣＣＨ、物理ランダム・アクセス・チャネル（ＰＲＡＣＨ）、およびＳＲＳのように、異なるチャネルにおける送信のため、アンテナ毎に送信電力を計算または調節するために、アンテナのおのおのについて調節パラメータを利用しうる（図３のブロック３１０参照）。例えば、ＵＥは、以下に示すように、アンテナ毎の電力値を計算するために、式（１）の修正バージョンを適用しうる。  
【００５８】
【数３】
2015053693.tif 000005
ここで、ｌ＝１，・・・，ＮＴは、アンテナ・インデクスを表す。ＵＥは、Ｐ０＿ＰＵＳＣＨ（ｊ、δｌ）の値を計算するために、アンテナ毎の調節パラメータを利用しうる。
【００５９】
ＵＥの別のアンテナは、別の時間において、別のフェージング環境を経験しうる。閉ループ電力制御では、フェージングの効果とアンテナ利得のアンバランスが、直ちに（すなわち、ＵＥの動作中に）低減されうる。
【００６０】
ユーザ機器のアンテナ毎の閉ループ電力制御は、ＵＥのおのおののアンテナの調節パラメータのアクセス・ポイントによる送信によって、いくつかのオーバヘッドをもたらすことが注目されるべきである。しかしながら、ある態様の場合、このオーバヘッドは、調節パラメータの送信を時間において分散させること、おのおのの送信時間において、ＵＥのアンテナのサブセットのためのパラメータを送信すること、および、異なる送信のためにアンテナをサイクルすることによって低減されうる。このスキームは、調節パラメータの更新のレートが低い、ゆっくりと変化する環境のために使用されうる。
【００６１】
アンテナ毎の閉ループ電力制御の利点の１つは、アンテナ・アンバランスを修正することによって、頻繁なＲＲＣ再設定のための必要性をなくす。さらに、アンテナ毎の閉ループ電力制御は、より厳しい電力制御を提供しうる。
【００６２】
本開示のある態様の場合、アクセス・ポイントは、事前符号化行列を選択または更新するために、ＵＥにおける送信電力を制御するために使用される調節パラメータを利用しうる。いくつかの場合には、アクセス・ポイントは、事前符号化行列を選択する際に、ＵＥへ送信されたものの、ＵＥによってまだ利用されていない調節パラメータでさえも使用しうる。
【００６３】
本開示のある態様は、ＵＥのアンテナ毎の開ループ電力制御のための技術を提供する。開ループ電力制御では、ＵＥは、アンテナのおのおのによって信号を受信し、対応するダウンリンク・チャネルのパス・ロス値を計算しうる。ＵＥは、その後、アンテナ毎に計算されたパス・ロス値に基づいて、アンテナ毎の電力値を更新しうる。例えば、ＵＥは、式（１）において、α．ＰＬの代わりに、α．ＰＬｌを代用しうる。ここで、α．ＰＬｌは、ＵＥのアンテナ毎のパス・ロスである。開ループ電力制御は、アンテナ間のボディ・ロス差を反転させるために使用されうる。ボディ・ロスは、ユーザ機器のアンテナのうちの１または複数が、人の手や体によって遮られ、遮られたアンテナのパフォーマンスの低下をもたらすことを称する用語である。
【００６４】
本開示のある態様は、ＵＥのアンテナ毎の電力を調節するために、閉ループ電力制御技術と、開ループ電力制御技術とを結合しうる。アンテナ毎に閉ループ電力制御技術と開ループ電力制御技術とを結合することによって、閉ループ電力制御のために要求される更新のレートが低減されうる。
【００６５】
本開示のある態様の場合、ＵＥのアンテナ間のある相関性を仮定して、おのおののアンテナの電力制御式は、２つの部分を含みうる。第１の部分は、ＵＥのすべてのアンテナ間で共通であり、第２の部分は、ＵＥのおのおののアンテナに特有でありうる。電力制御の共通部品は、より大きな範囲を有しうる。電力制御のアンテナ特有部品は、より小さな範囲を有し、電力制御の共通部分と比べて異なる電力制御グラニュラリティに対応しうる。ある態様の場合、共通の電力制御のため、および、個々の電力制御のための更新のレートは異なりうる。共通のおよび個々の（相対的な）電力制御コマンド更新レートが最適化されている場合、これは、シグナリング効率の観点から有利である。例えば、個々の電力制御コマンドは、共通の電力制御コマンドほど頻繁に送信されない。
【００６６】
ある態様の場合、ＵＥは、アンテナのおのおのに適用されるアンテナ補償量を、アクセス・ポイントへシグナルしうる。さらに、ＵＥは、ＵＥが経験している電力制限に関するいくつかの情報をアクセス・ポイントへ送信しうる。アクセス・ポイントは、次の時間スロットにおいて、ＵＥへ送信するアンテナ毎に調節パラメータの値を調整または更新するために、この情報を利用しうる。この電力制御に関する情報は、アップリンク電力ヘッドルーム・レポートの形態でありうる。ここで、ＵＥは、現在の送信電力と、最大送信電力との間の差に関する情報を送信しうる。
【００６７】
アップリンク電力ヘッドルーム・レポートは、ＵＥによって送信された合計電力、または、所与のアンテナによって送信された電力を称しうる。アンテナ電力ヘッドルーム毎の値が、アクセス・ポイントに利用可能である場合、次の時間スロットにおいて使用されるべきＵＥへ送信された電力調節パラメータと、次の時間スロットのためにＵＥに対して許可されたアップリンク・データ・レートとを最適化するために、個々のアンテナ電力制御のコンテキストにおいて利点がある。個々の電力制御コマンドをアクセス・ポイントからＵＥへ伝送するために、信頼できるシグナリング方法が使用され、個々のアンテナの最大電力が、アクセス・ポイントに知られている場合、ＵＥによるアクセス・ポイントへの個々のアンテナ電力ヘッドルーム・レポートは、不要になる場合がある。一方、個々の電力制御更新のために信頼できるシグナリングを用いることは、システム・リソースの観点から高価となりうる。したがって、ダウンリンクおよびアップリンクのシステム容量が、統合的に最適化される場合、ＵＥによるアクセス・ポイントへの個々の（アンテナ毎の）ヘッドルーム・レポートを用いることが有利になりえる。
【００６８】
個々のアンテナは、個々の物理的な送信アンテナを意味しうるか、単一の仮想アンテナとして取り扱われた複数の物理的な送信アンテナを意味しうる。後者の場合、電力制御目的のために単一の仮想アンテナとして取り扱われている物理的な送信アンテナ間の電力比は調節可能ではないと仮定される。
【００６９】
ある態様の場合、ＵＥは、バッテリ寿命を延ばすために、アンテナ利得アンバランスに応じて、送信のためのアンテナを選択しうる。
【００７０】
別の態様では、アクセス・ポイントは、ＵＥバッテリ寿命を延ばすために、アンテナ利得アンバランスを考慮して、送信のために使用されるアンテナのセットを選択しうる。
【００７１】
前述された方法のさまざまな動作は、図面に例示されるようなｍｅａｎｓ−ｐｌｕｓ−ｆｕｎｃｉｔｏｎブロックに対応するさまざまなハードウェアおよび／またはソフトウェア構成要素（単数または複数）および／またはモジュール（単数または複数）によって実行されうる。例えば、図３に例示されるブロック３０２−３１２は、図３Ａに例示されるｍｅａｎｓ−ｐｌｕｓ−ｆｕｎｃｉｔｏｎブロックに対応する。より一般的には、対応するｍｅａｎｓ−ｐｌｕｓ−ｆｕｎｃｉｔｏｎブロック図を有する図面に例示された方法がある場合、動作ブロックは、同様に付番されたｍｅａｎｓ−ｐｌｕｓ−ｆｕｎｃｉｔｏｎブロックに対応する。
【００７２】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロプロセッサとすることができるが、代替案では、プロセッサを、任意の市販のプロセッサ、コントローラ、マイクロコントローラ、または順序回路とすることができる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７３】
本開示に関連して説明された方法またはアルゴリズムのステップを、ハードウェアで直接的に、プロセッサによって実行されるソフトウェア・モジュールによって、またはこの２つの組合せによって実施することができる。ソフトウェア・モジュールは、当該技術分野において周知のすべての形式の記憶媒体に常駐することができる。使用できる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にまたがって分散させることができる。記憶媒体を、プロセッサが記憶媒体から情報を読み取り、記憶媒体に情報を書き込めるように、プロセッサに結合することができる。あるいは、この記憶媒体は、プロセッサに統合されうる。
【００７４】
本明細書で開示された方法は、説明された方法を達成するための１または複数のステップまたは動作を備える。方法ステップおよび／または動作は、特許請求の範囲のスコープから逸脱せずに相互に置換することができる。言い換えると、ステップまたは動作の特定の順序が指定されていない限り、特定のステップおよび／または動作の順序および／または使用は、特許請求の範囲のスコープから逸脱せずに変更されうる。
【００７５】
記載された機能は、ハードウェア、ソフトウェア、ファームウェア、あるいは、これらの任意の組み合わせによって実現されうる。ソフトウェアで実現される場合、これら機能は、コンピュータ読取可能媒体に、１または複数の命令群として格納される。記憶媒体は、コンピュータによってアクセスされうる利用可能な任意の媒体である。例として、限定することなく、このようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるディスク（ｄｉｓｋおよびｄｉｓｃ）は、コンパクト・ディスク（ＣＤ）（ｄｉｓｃ）、レーザ・ディスク（ｄｉｓｃ）、光ディスク（ｄｉｓｃ）、ディジタル・バーサタイル・ディスク（ＤＶＤ）（ｄｉｓｃ）、フロッピー（登録商標）ディスク（ｄｉｓｋ）およびブルー・レイ（登録商標）ディスク（ｄｉｓｃ）を含んでいる。ここで、ｄｉｓｋは、通常、データを磁気的に再生する一方、ｄｉｓｃは、データをレーザを用いて光学的に再生する。
【００７６】
ソフトウェアまたは命令群は、送信媒体を介しても送信される。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。
【００７７】
さらに、本明細書で説明される方法および技法を実行するためのモジュールおよび／または他の適切な手段を、適宜、ユーザ端末および／または基地局によってダウンロードし、かつ／または他の形式で入手することができることを了解されたい。例えば、そのようなデバイスを、本明細書で説明した方法を実行するための手段の転送を容易にするためにサーバに結合することができる。代替案では、本明細書で説明されるさまざまな方法を、記憶手段（例えば、ＲＡＭ、ＲＯＭ、コンパクト・ディスク（ＣＤ）またはフロッピー・ディスクなどの物理記憶媒体など）を介して提供することができ、ユーザ端末および／または基地局が、記憶手段をデバイスに結合するか提供するときにさまざまな方法を入手することができる。さらに、本明細書で説明された方法および技法をデバイスに提供するために、その他任意の適切な技法を利用することができる。
【００７８】
特許請求の範囲は、上述した正確な構成および構成要素に限定されないことを理解されたい。さまざまな修正、変更、および変形を、特許請求の範囲の範囲から逸脱せずに、前述した方法および装置の構成、動作、および詳細において実施することができる。
【００７９】
前述したものは、本発明の実施形態に向けられているが、これら発明のその他およびさらなる実施形態が、本願の基本的な範囲から逸脱することなく考案され、この範囲は、以下に示す特許請求の範囲によって決定される。
【図１】
2015053693.tif 000006
【図２】
2015053693.tif 000007
【図３】
2015053693.tif 000008
【図３Ａ】
2015053693.tif 000009
【図４Ａ】
2015053693.tif 000010
【図４Ｂ】
2015053693.tif 000011
【手続補正書】
【提出日】平成26年11月6日(2014.11.6)
【手続補正１】
【補正対象書類名】特許請求の範囲
【補正対象項目名】全文
【補正方法】変更
【補正の内容】
【特許請求の範囲】
【請求項１】
無線通信のための方法であって、
装置のアンテナのサブセットから受信された信号に関する測定を実行することと、
前記測定に基づいて、前記装置のアンテナのサブセットにおけるおのおののアンテナについて１つである、複数の電力調節パラメータを計算することと、
前記装置のアンテナのサブセットのための電力調節パラメータを、前記装置の１または複数の対応するアンテナを較正するために送信することと
を備える方法。
【請求項２】
少なくとも前記装置によって送信された電力ヘッドルーム情報に基づいて、前記装置によって信号を送信するアンテナのサブセットを決定することと、ここで、前記電力ヘッドルーム情報は、おのおののアンテナの現在の送信電力と、最大送信電力との間の差を備える、
前記アンテナのサブセットに関する情報を前記装置に送信することと
をさらに備える請求項１に記載の方法。
【請求項３】
前記複数の電力調節パラメータを計算することは、複数の処理期間において前記装置のアンテナのすべてをカバーするために、各処理期間において、前記装置のアンテナの異なるサブセットのための電力調節値を計算することを備える、請求項１に記載の方法。
【請求項４】
前記電力調節パラメータは、ラジオ・リソース制御（ＲＲＣ）シグナリングによって送信される、請求項１に記載の方法。
【請求項５】
前記装置のアンテナのサブセットのための、複数の送信電力の値を受信することと、
前記装置のアンテナのサブセットのための電力調節パラメータを、それらのアンテナのための前記受信された送信電力の値に基づいて更新することと
をさらに備える請求項１に記載の方法。
【請求項６】
前記複数の電力調節パラメータは、少なくとも、前記装置によって送信された電力ヘッドルーム・レポートに基づいて計算される、請求項１に記載の方法。
【請求項７】
前記装置の電力消費を減らすように、前記装置によって信号を送信するアンテナのサブセットを決定することと、
前記アンテナのサブセットに関する情報を前記装置に送信することと
をさらに備える請求項１に記載の方法。
【請求項８】
少なくとも前記装置から受信された電力ヘッドルーム・レポートに基づいて、前記装置によって信号を送信するアンテナのサブセットを決定することをさらに備える、請求項７に記載の方法。
【請求項９】
無線通信のための装置であって、
装置のアンテナのサブセットから受信された信号に関する測定を実行するためのロジックと、
前記測定に基づいて、前記装置のアンテナのサブセットにおけるおのおののアンテナについて１つである、複数の電力調節パラメータを計算するためのロジックと、
前記装置のアンテナのサブセットのための電力調節パラメータを、前記装置の１または複数の対応するアンテナを較正するために送信するためのロジックと
を備える装置。
【請求項１０】
少なくとも前記装置によって送信された電力ヘッドルーム情報に基づいて、前記装置によって信号を送信するアンテナのサブセットを決定するためのロジックと、ここで、前記電力ヘッドルーム情報は、おのおののアンテナの現在の送信電力と、最大送信電力との間の差を備える、
前記アンテナのサブセットに関する情報を前記装置に送信するためのロジックと
をさらに備える、請求項９に記載の装置。
【請求項１１】
前記複数の電力調節パラメータを計算することは、複数の処理期間において前記装置のアンテナのすべてをカバーするために、各処理期間において、前記装置のアンテナの異なるサブセットのための電力調節値を計算することを備える、請求項９に記載の装置。
【請求項１２】
前記電力調節パラメータは、ラジオ・リソース制御（ＲＲＣ）シグナリングによって送信される、請求項９に記載の装置。
【請求項１３】
前記装置のアンテナのサブセットのための、複数の送信電力の値を受信するためのロジックと、
前記装置のアンテナのサブセットのための電力調節パラメータを、それらのアンテナのための前記受信された送信電力の値に基づいて更新するためのロジックと
をさらに備える、請求項９に記載の装置。
【請求項１４】
前記複数の電力調節パラメータは、少なくとも前記装置によって送信された電力ヘッドルーム・レポートに基づいて計算される、請求項９に記載の装置。
【請求項１５】
前記装置の電力消費を減らすように、前記装置によって信号を送信するアンテナのサブセットを決定するためのロジックと、
前記アンテナのサブセットに関する情報を前記装置に送信するためのロジックと
をさらに備える、請求項９に記載の装置。
【請求項１６】
少なくとも前記装置から受信された電力ヘッドルーム・レポートに基づいて、前記装置によって信号を送信するアンテナのサブセットを決定するためのロジックをさらに備える、請求項１５に記載の装置。
【請求項１７】
無線通信のための装置であって、
装置のアンテナのサブセットから受信された信号に関する測定を実行する手段と、
前記測定に基づいて、前記装置のアンテナのサブセットにおけるおのおののアンテナについて１つである、複数の電力調節パラメータを計算する手段と、
前記装置のアンテナのサブセットのための電力調節パラメータを、前記装置の１または複数の対応するアンテナを較正するために送信する手段と
を備える装置。
【請求項１８】
１または複数のプロセッサによって実行可能な、格納された命令群を有するコンピュータ読取可能媒体を備える、無線通信のためのコンピュータ・プログラム製品であって、前記命令群は、
装置のアンテナのサブセットから受信された信号に関する測定を実行するための命令群と、
前記測定に基づいて、前記装置のアンテナのサブセットにおけるおのおののアンテナについて１つである、複数の電力調節パラメータを計算するための命令群と、
前記装置のアンテナのサブセットのための電力調節パラメータを、前記装置の１または複数の対応するアンテナを較正するために送信するための命令群と
を備える、コンピュータ・プログラム製品。
【請求項１９】
無線通信のための装置であって、
装置のアンテナのサブセットから受信された信号に関する測定を実行し、
前記測定に基づいて、前記装置のアンテナのサブセットにおけるおのおののアンテナについて１つである、複数の電力調節パラメータを計算し、
前記装置のアンテナのサブセットのための電力調節パラメータを、前記装置の１または複数の対応するアンテナを較正するために送信する
ように構成された少なくとも１つのプロセッサを備える、装置。
【手続補正２】
【補正対象書類名】明細書
【補正対象項目名】００７９
【補正方法】変更
【補正の内容】
【００７９】
前述したものは、本発明の実施形態に向けられているが、これら発明のその他およびさらなる実施形態が、本願の基本的な範囲から逸脱することなく考案され、この範囲は、以下に示す特許請求の範囲によって決定される。
なお、以下に、出願当初の特許請求の範囲に記載された発明を付記する。
［発明１］無線通信のための方法であって、
アンテナのサブセットのための電力調節パラメータを受信することと、
前記アンテナのおのおのに関連付けられた、前記受信された電力調節パラメータを用いて、前記アンテナのサブセットのための送信電力の値を計算することと、
前記計算された送信電力の値に等しい電力を用いて、前記アンテナのサブセットから信号を送信することと
を備える方法。
［発明２］おのおののアンテナによって受信された信号におけるパス・ロスの値に基づいて、前記計算された、前記アンテナのサブセットのための送信電力の値を調節することをさらに備える、発明１に記載の方法。
［発明３］少なくとも電力消費量の最適化に基づいて、信号を送信するアンテナのサブセットを決定することをさらに備える、発明１に記載の方法。
［発明４］前記アンテナのサブセットに関する情報を受信することと、
前記アンテナのおのおのに関連付けられた電力調節パラメータと、前記受信された、前記アンテナのサブセットに関する情報とを用いて、前記アンテナのサブセットのための送信電力の値を計算することと、
前記計算された値に基づいて、前記アンテナのサブセットのための送信電力と、信号を送信するアンテナのサブセットとを調節することと
をさらに発明１に記載の方法。
［発明５］ＮＴ個のアンテナのために、おのおののアンテナについて１つの、ＮＴ個の電力調節パラメータが受信される、発明１に記載の方法。
［発明６］前記アンテナのうち１つは、ＮＴ−１個のアンテナに含まれず、前記ＮＴ−１個のアンテナのために、ＮＴ−１個の電力調節パラメータが受信される、発明１に記載の方法。
［発明７］前記アンテナのすべてについて共通の電力調節パラメータと、前記ＮＴ個のアンテナのおのおのについて１つの、ＮＴ個の相対的な電力調節パラメータとが受信され、前記アンテナ毎の送信電力が、前記共通の電力調節パラメータと前記相対的な電力調節パラメータとの両方に基づいて計算される、発明１に記載の方法。
［発明８］前記共通の電力調節パラメータの動的範囲は、前記相対的な電力調節パラメータの動的範囲よりも大きい、発明７に記載の方法。
［発明９］前記共通の電力調節パラメータと前記相対的な電力調節パラメータとの更新のレートは異なる、発明７に記載の方法。
［発明１０］前記共通の電力調節パラメータと前記相対的な電力調節パラメータとのグラニュラリティは異なる、発明７に記載の方法。
［発明１１］無線通信のための方法であって、
送信のために利用されるアンテナのサブセットに関する情報であって、複数の送信アンテナのための個々の電力ヘッドルーム値を含む電力ヘッドルーム情報を送信することを備え、
前記電力ヘッドルーム情報は、おのおののアンテナの現在の送信電力と、最大送信電力との間の差を備える、方法。
［発明１２］無線通信のための方法であって、
装置のアンテナのサブセットから受信した信号に関する測定を実行することと、
前記測定に基づいて、前記装置のアンテナのサブセットにおけるおのおののアンテナについて１つである、複数の電力調節パラメータを計算することと、
前記装置の対応するアンテナを較正するために、前記装置のアンテナのサブセットのための電力調節パラメータを送信することと
を備える方法。
［発明１３］前記装置によって送信された電力ヘッドルーム情報に少なくとも部分的に基づいて、前記装置によって信号を送信するアンテナのサブセットを決定することと、ここで、前記電力ヘッドルーム情報は、おのおののアンテナの現在の送信電力と、最大送信電力との間の差を備える、
前記アンテナのサブセットに関する情報を前記装置に送信することと
をさらに備える発明１２に記載の方法。
［発明１４］前記複数の電力調節パラメータを計算することは、複数の処理期間内に前記装置のアンテナのすべてをカバーするために、各処理期間において、前記装置のアンテナの別のサブセットのための電力調節値を計算することを備える、発明１２に記載の方法。
［発明１５］前記電力調節パラメータは、ラジオ・リソース制御（ＲＲＣ）シグナリングによって送信される、発明１２に記載の方法。
［発明１６］前記装置のアンテナのサブセットのための、複数の送信電力の値を受信することと、
前記受信した、前記アンテナのための送信電力の値に基づいて、前記装置のアンテナのサブセットのための電力調節パラメータを更新することと
をさらに備える発明１２に記載の方法。
［発明１７］前記複数の電力調節パラメータは、少なくとも、前記装置によって送信された電力ヘッドルーム・レポートに基づいて計算される、発明１２に記載の方法。
［発明１８］前記装置の電力消費量を減らすために、前記装置によって信号を送信するアンテナのサブセットを決定することと、
前記アンテナのサブセットに関する情報を前記装置に送信することと
をさらに備える発明１２に記載の方法。
［発明１９］前記装置から受信した電力ヘッドルーム・レポートに少なくとも部分的に基づいて、前記装置によって信号を送信するアンテナのサブセットを決定することをさらに備える、発明１８に記載の方法。
［発明２０］無線通信のための装置であって、
アンテナのサブセットのための電力調節パラメータを受信するためのロジックと、
前記アンテナのおのおのに関連付けられた、前記受信された電力調節パラメータを用いて、前記アンテナのサブセットのための送信電力の値を計算するためのロジックと、
前記計算された送信電力の値に等しい電力を用いて、前記アンテナのサブセットから信号を送信するためのロジックと
を備える装置。
［発明２１］おのおののアンテナによって受信された信号におけるパス・ロスの値に基づいて、前記計算された、前記アンテナのサブセットのための送信電力の値を調節するためのロジックをさらに備える、発明２０に記載の装置。
［発明２２］少なくとも電力消費量の最適化に基づいて、信号を送信するアンテナのサブセットを決定するためのロジックをさらに備える、発明２０に記載の装置。
［発明２３］前記アンテナのサブセットに関する情報を受信するためのロジックと、
前記アンテナのおのおのに関連付けられた電力調節パラメータと、前記受信された、前記アンテナのサブセットに関する情報とを用いて、前記アンテナのサブセットのための送信電力の値を計算するためのロジックと、
前記計算された値に基づいて、前記アンテナのサブセットのための送信電力と、信号を送信するアンテナのサブセットとを調節するためのロジックと
を備える発明２０に記載の装置。
［発明２４］ＮＴ個のアンテナのために、おのおののアンテナについて１つの、ＮＴ個の電力調節パラメータが受信される、発明２０に記載の装置。
［発明２５］前記アンテナのうち１つは、ＮＴ−１個のアンテナに含まれず、前記ＮＴ−１個のアンテナのために、ＮＴ−１個の電力調節パラメータが受信される、発明２０に記載の装置。
［発明２６］前記アンテナのすべてについて共通の電力調節パラメータと、前記ＮＴ個のアンテナのおのおのについて１つの、ＮＴ個の相対的な電力調節パラメータとが受信され、前記アンテナ毎の送信電力が、前記共通の電力調節パラメータと前記相対的な電力調節パラメータとの両方に基づいて計算される、発明２０に記載の装置。
［発明２７］前記共通の電力調節パラメータの動的範囲は、前記相対的な電力調節パラメータの動的範囲よりも大きい、発明２６に記載の装置。
［発明２８］前記共通の電力調節パラメータと前記相対的な電力調節パラメータとの更新のレートは異なる、発明２６に記載の装置。
［発明２９］前記共通の電力調節パラメータと前記相対的な電力調節パラメータとのグラニュラリティは異なる、発明２６に記載の装置。
［発明３０］無線通信のための装置であって、
送信のために利用されるアンテナのサブセットに関する情報であって、複数の送信アンテナのための個々の電力ヘッドルーム値を含む電力ヘッドルーム情報を送信するためのロジックを備え、
前記電力ヘッドルーム情報は、おのおののアンテナの現在の送信電力と、最大送信電力との間の差を備える、装置。
［発明３１］無線通信のための装置であって、
装置のアンテナのサブセットから受信した信号に関する測定を実行するためのロジックと、
前記測定に基づいて、前記装置のアンテナのサブセットにおけるおのおののアンテナについて１つである、複数の電力調節パラメータを計算するためのロジックと、
前記装置の対応するアンテナを較正するために、前記装置のアンテナのサブセットのための電力調節パラメータを送信するためのロジックと
を備える装置。
［発明３２］前記装置によって送信された電力ヘッドルーム情報に少なくとも部分的に基づいて、前記装置によって信号を送信するアンテナのサブセットを決定するためのロジックと、ここで、前記電力ヘッドルーム情報は、おのおののアンテナの現在の送信電力と、最大送信電力との間の差を備える、
前記アンテナのサブセットに関する情報を前記装置に送信するためのロジックと
をさらに備える、発明３１に記載の装置。
［発明３３］前記複数の電力調節パラメータを計算することは、複数の処理期間内に前記装置のアンテナのすべてをカバーするために、各処理期間において、前記装置のアンテナの別のサブセットのための電力調節値を計算することを備える、発明３１に記載の装置。
［発明３４］前記電力調節パラメータは、ラジオ・リソース制御（ＲＲＣ）シグナリングによって送信される、発明３１に記載の装置。
［発明３５］前記装置のアンテナのサブセットのための、複数の送信電力の値を受信するためのロジックと、
前記受信した、前記アンテナのための送信電力の値に基づいて、前記装置のアンテナのサブセットのための電力調節パラメータを更新するためのロジックと
をさらに備える、発明３１に記載の装置。
［発明３６］前記複数の電力調節パラメータは、前記装置によって送信された電力ヘッドルーム・レポートに少なくも基づいて計算される、発明３１に記載の装置。
［発明３７］前記装置の電力消費量を減らすために、前記装置によって信号を送信するアンテナのサブセットを決定するためのロジックと、
前記アンテナのサブセットに関する情報を前記装置に送信するためのロジックと
をさらに備える、発明３１に記載の装置。
［発明３８］前記装置から受信した電力ヘッドルーム・レポートに少なくとも部分的に基づいて、前記装置によって信号を送信するアンテナのサブセットを決定するためのロジックをさらに備える、発明３７に記載の装置。
［発明３９］無線通信のための装置であって、
アンテナのサブセットのための電力調節パラメータを受信する手段と、
前記アンテナのおのおのに関連付けられた、前記受信された電力調節パラメータを用いて、前記アンテナのサブセットのための送信電力の値を計算する手段と、
前記計算された送信電力の値に等しい電力を用いて、前記アンテナのサブセットから信号を送信する手段と
を備える装置。
［発明４０］無線通信のための装置であって、
送信のために利用されるアンテナのサブセットに関する情報であって、複数の送信アンテナのための個々の電力ヘッドルーム値を含む電力ヘッドルーム情報を送信する手段を備え、
前記電力ヘッドルーム情報は、おのおののアンテナの現在の送信電力と、最大送信電力との間の差を備える、装置。
［発明４１］無線通信のための装置であって、
装置のアンテナのサブセットから受信した信号に関する測定を実行する手段と、
前記測定に基づいて、前記装置のアンテナのサブセットにおけるおのおののアンテナについて１つである、複数の電力調節パラメータを計算する手段と、
前記装置の対応するアンテナを較正するために、前記装置のアンテナのサブセットのための電力調節パラメータを送信する手段と
を備える装置。
［発明４２］１または複数のプロセッサによって実行可能な、格納された命令群を有するコンピュータ読取可能媒体を備える、無線通信のためのコンピュータ・プログラム製品であって、前記命令群は、
アンテナのサブセットのための電力調節パラメータを受信するための命令群と、
前記アンテナのおのおのに関連付けられた、前記受信された電力調節パラメータを用いて、前記アンテナのサブセットのための送信電力の値を計算するための命令群と、
前記計算された送信電力の値に等しい電力を用いて、前記アンテナのサブセットから信号を送信するための命令群と
を備える、コンピュータ・プログラム製品。
［発明４３］１または複数のプロセッサによって実行可能な、格納された命令群を有するコンピュータ読取可能媒体を備える、無線通信のためのコンピュータ・プログラム製品であって、前記命令群は、
送信のために利用されるアンテナのサブセットに関する情報であって、複数の送信アンテナのための個々の電力ヘッドルーム値を含む電力ヘッドルーム情報を送信するための命令群を備え、
前記電力ヘッドルーム情報は、おのおののアンテナの現在の送信電力と、最大送信電力との間の差を備える、コンピュータ・プログラム製品。
［発明４４］１または複数のプロセッサによって実行可能な、格納された命令群を有するコンピュータ読取可能媒体を備える、無線通信のためのコンピュータ・プログラム製品であって、前記命令群は、
装置のアンテナのサブセットから受信した信号に関する測定を実行するための命令群と、
前記測定に基づいて、前記装置のアンテナのサブセットにおけるおのおののアンテナについて１つである、複数の電力調節パラメータを計算するための命令群と、
前記装置の対応するアンテナを較正するために、前記装置のアンテナのサブセットのための電力調節パラメータを送信するための命令群と
を備える、コンピュータ・プログラム製品。
［発明４５］無線通信のための装置であって、
アンテナのサブセットのための電力調節パラメータを受信し、
前記アンテナのおのおのに関連付けられた、前記受信された電力調節パラメータを用いて、前記アンテナのサブセットのための送信電力の値を計算し、
前記計算された送信電力の値に等しい電力を用いて、アンテナのサブセットから信号を送信する
ように構成された少なくとも１つのプロセッサを備える、装置。
［発明４６］無線通信のための装置であって、
送信のために利用されるアンテナのサブセットに関する情報であって、複数の送信アンテナのための個々の電力ヘッドルーム値を含む電力ヘッドルーム情報を送信するように構成された少なくとも１つのプロセッサを備え、
前記電力ヘッドルーム情報は、おのおののアンテナの現在の送信電力と、最大送信電力との間の差を備える、装置。
［発明４７］無線通信のための装置であって、
装置のアンテナのサブセットから受信した信号に関する測定を実行し、
前記測定に基づいて、前記装置のアンテナのサブセットにおけるおのおののアンテナについて１つである、複数の電力調節パラメータを計算し、
前記装置の対応するアンテナを較正するために、前記装置のアンテナのサブセットのための電力調節パラメータを送信する
ように構成された少なくとも１つのプロセッサを備える、装置。
【外国語明細書】
2015053693000001.pdf